(57)【要約】      （修正有）【課題】耐候性に優れ、多種多様な場所に取り付けが容易で、かつ強固に設置可能なシート状ヒータを提供する。【解決手段】シート状ヒータ１は、発熱体本体１１を絶縁フィルム１３で挟持した面状発熱体１０と、面状発熱体を被覆する被覆部材と、を有するシート状ヒータ本体２０と、シート状ヒータ本体２０の下面側に、被接着物に接着可能な接着部材３０を備えている。接着部材は、被覆部材と一体に連接して形成されていることが好ましい。また、被覆部材は、軟質部材からなることが好ましく、シリコンゴムからなることが更に好ましい。被覆部材の内部に、面状発熱体を両面から挟着する一対の硬質シートを更に備えていることが好ましく、硬質シートはポリプロピレン樹脂であることが更に好ましい。【選択図】図１
0003190723.tif 000002
【実用新案登録請求の範囲】
【請求項１】
面状発熱体と、該面状発熱体を被覆する被覆部材と、を有するシート状ヒータ本体と、
前記シート状ヒータ本体の下面側に備えた、被接着物に接着可能な接着部材と、
を有するシート状ヒータ。
【請求項２】
前記接着部材は、粘着部材又は磁石部材である請求項１に記載のシート状ヒータ。
【請求項３】
前記接着部材は、前記被覆部材と一体に連接して形成された請求項１又は２に記載のシート状ヒータ。
【請求項４】
前記被覆部材は、軟質部材からなる請求項１乃至３のうちのいずれか１項に記載のシート状ヒータ。
【請求項５】
前記軟質部材は、シリコンゴムからなる請求項４に記載のシート状ヒータ。
【請求項６】
前記被覆部材の内部に、前記面状発熱体を両面から挟着する一対の硬質シートを更に備えた請求項１乃至５のうちのいずれか１項に記載のシート状ヒータ。
【請求項７】
前記硬質シートはポリプロピレン樹脂からなる請求項６に記載のシート状ヒータ。
【請求項８】
両面を一対のポリプロピレン樹脂シートで挟着された面状発熱体と、該面状発熱体の上部及び側部を被覆するシリコンゴムと、該シリコンゴムと一体に連接し前記面状発熱体の下部を被覆する、粘着部材又は磁石部材と、を備えたシート状ヒータ。
【考案の詳細な説明】
【技術分野】
【０００１】
本考案はシート状ヒータに関する。更に詳しくは、耐候性に優れ、多種多様な場所に取り付けが容易で、かつ強固に設置可能なシート状ヒータに関する。
【背景技術】
【０００２】
寒冷期においては、様々な暖房用品が用いられたり、融雪などの対策が取られたりする。このような場合、加熱器具としてのヒータと被加熱物とは、ある程度空間的な距離があり、直接的に加熱することが困難な場合が多い。
【０００３】
ここで、シート状ヒータに係る発明が開示されている（例えば、特許文献１参照。）。このシート状ヒータは、面状発熱体をＥＰＤＭ層により両面から挟持して一体的に形成したヒータ部と、その両端に配置された連結穴を有している。
そのため、耐候性が高く、任意の場所に強固に設置可能である。
【先行技術文献】
【特許文献】
【０００４】
【特許文献１】特開平２００７−２７３２４４
【考案の概要】
【考案が解決しようとする課題】
【０００５】
しかし、このシート状ヒータは、所定の場所へ固定するに際しては、連結穴を介してボルトなどの固着具で固定するための工事を行う必要がある。
本願発明は、この問題を解決するものであり、耐候性に優れ、多種多様な場所に取り付けが容易で、かつ強固に設置可能なシート状ヒータを提供することを目的とする。
【課題を解決するための手段】
【０００６】
前記課題を解決するための本考案の解決手段は、以下の通りである。
１．面状発熱体と、該面状発熱体を被覆する被覆部材と、を有するシート状ヒータ本体と、
前記シート状ヒータ本体の下面側に備えた、被接着物に接着可能な接着部材と、
を有するシート状ヒータ。
２．前記接着部材は、粘着部材又は磁石部材である請求項１に記載のシート状ヒータ。
３．前記接着部材は、前記被覆部材と一体に連接して形成された１．又は２に記載のシート状ヒータ。
４．前記被覆部材は、軟質部材からなる１．乃至３．のうちのいずれか１項に記載のシート状ヒータ。
５．前記軟質部材は、シリコンゴムからなる４．に記載のシート状ヒータ。
６．前記被覆部材の内部に、前記面状発熱体を両面から挟着する一対の硬質シートを更に備えた１．乃至５．のうちのいずれか１項に記載のシート状ヒータ。
７．前記硬質シートはポリプロピレン樹脂からなる６．に記載のシート状ヒータ。
８．両面を一対のポリプロピレン樹脂シートで挟着された面状発熱体と、該面状発熱体の上部及び側部を被覆するシリコンゴムと、該シリコンゴムと一体に連接し前記面状発熱体の下部を被覆する、粘着部材又は磁石部材と、を備えたシート状ヒータ。
【考案の効果】
【０００７】
１．本考案のシート状ヒータは、面状発熱体と、該面状発熱体を被覆する被覆部材と、を有するシート状ヒータ本体と、前記シート状ヒータ本体の下面側に備えた、被接着物に接着可能な接着部材と、を有するため、耐候性に優れ、多種多様な場所に取り付けが容易で、かつ強固に設置可能である。
２．前記接着部材が、粘着部材又は磁石部材である場合には、簡易な方法で被接着物に確実に接着することができる。
３．前記接着部材が、前記被覆部材と一体に連接して形成されている場合には、接着部材が脱落することなく、長期にわたって被接着物に確実に固定することができる。
４．前記被覆部材が、軟質部材からなる場合には、設置場所が平面上に限られず、曲面上又は段差がある場所であっても密着させて設置することができる。
５．前記軟質部材がシリコンゴムからなる場合には、特に防水性、絶縁性に優れたものとなる。
６．前記被覆部材の内部に、前記面状発熱体を両面から挟着する一対の硬質シートを更に備えている場合には、面状発熱体が折曲されないように、強度的に保護することができる。
７．前記硬質シートがポリプロピレン樹脂からなる場合には、安価で効果的に面状発熱体を保護することができる。
８．本考案に係るシート状ヒータが、両面を一対のポリプロピレン樹脂シートで挟着された面状発熱体と、該面状発熱体の上部及び側部を被覆するシリコンゴムと、該シリコンゴムと一体に連接し前記面状発熱体の下部を被覆する粘着部材又は磁石部材と、を備えている場合には、前記すべての要件を備えているため、そのすべての効果を有する。
【図面の簡単な説明】
【０００８】
【図１】本考案のシート状ヒータを示す模式的な斜視図である。
【図２】本考案のシート状ヒータの断面図である。
【図３】本考案のシート状ヒータを降雪した屋根に取り付けた状態を示す模式的な斜視図である。
【考案を実施するための形態】
【０００９】
以下、本考案の実施形態を示す図１〜３を参照しながら本考案を詳しく説明する。
尚、本考案は、かかる図に記載された具体例に示すものに限られず、目的、用途に応じて種々変更したものとすることができる。
【００１０】
本考案の実施形態に係るシート状ヒータ１は、図１に示すように、面状発熱体１０と、面状発熱体１０を被覆する被覆部材と、を有するシート状ヒータ本体２０と、前記シート状ヒータ本体２０の下面側に備えた、接着物に接着可能な接着部材３０とを備えている。
面状発熱体１０は、図１に示すようにシート状であり、発熱体本体１１を絶縁フィルム１３で挟持して形成されており、その両端部１１ａ、１１ｂが電源コード１５に接続されている。
【００１１】
前記「被覆部材」は、面状発熱体１０を被覆することができれば特に材質は限定されないが、軟質部材からなることが好ましい。軟質部材であれば、設置場所が平面に限られず、曲面であっても、又は段差がある場所であっても密着させて設置することができる。軟質部材は、シリコンゴムからなることが特に好ましい。シリコンゴムであれば、特に防水性、絶縁性に優れたものとなる。また、表面が滑りにくく、安全性にも優れる。
【００１２】
前記被覆部材は、面状発熱体１０の全体を被覆して形成されていてもよいが、面状発熱体１０の上部及び側部を被覆していてもよい。例えば、図２に示すように被覆部材としての軟質部材２５と、該軟質部材２５と一体に連接し前記面状発熱体１０の下部を被覆する接着部材３０と、とからなることができる。軟質部材２５と接着部材３０が一体に連接することで、接着部材３０が脱落することなく、長期にわたって被接着物に確実に固定することができる。
【００１３】
また、図２に示すように、前記被覆部材２５の内部に、前記面状発熱体１０を両面から挟着する一対の硬質シート２７を更に備えていることが好ましい。こうすることで、面状発熱体１０が折曲されないように、強度的に保護することができる。
この硬質シート２７は、硬質材であれば特に限定はないが、ポリプロピレン樹脂からなることが好ましい。ポリプロピレン樹脂であれば、安価で効果的に面状発熱体１０を保護することができる。
【００１４】
前記「接着部材」は、被接着物に接着させるための部材である。被接着物に接着できれば特に限定はなく、例えば、粘着部材又は磁石部材を用いることができる。
「粘着部材」としては、粘着剤側を被接着物側とした粘着テープを用いることができる。粘着部材は、接着強度の大きい強粘着性のものから、接着強度の小さい弱粘着性のものまで、用途に応じて種々のものを選択することができる。
すなわち、長期に亘って、取り外すことなく強固に固定する場合には強粘着性の粘着部材を使用することができる。
一方、寒冷期のみ、或いは所定の時間のみ使用する場合のように、着脱自在に使用したい場合には、弱粘着性の粘着部材を使用することができる。
「磁石部材」としては、磁石側を被接着物側とした磁石テープを用いることができる。磁石部材も、吸着力の強い磁石、吸着力の弱い磁石を使い分けることにより上記と同様の使用ができる。
ここで、被覆部材と接着部材は、溶着等によって強固に接合されて一体に形成されていることが好ましい。更に、シート状ヒータ本体と接着部材も強固に接合されていることが好ましい。
【００１５】
前記「被接着物」は、多種多様な場所又は物品が想定される。例えば、図３に示すように、家屋の屋根７０の軒先部７０ａにシート状ヒータ１を設置することができる。こうすることで、雪の重量によって損傷しやすい軒先部７０ａを融雪によって保護することができる。
具体的には、例えば、雪止めアングル６０の下部に、複数のシート状ヒータ１を軒先部７０ａに接着する。そして、それぞれをダクト５０内を挿通した電源コード１５によって直列接続する。その末端部１５ａ、１５ｂ間に所定の電圧を印加することにより軒先部７０ａを加温することができる。
被接着物は、これ以外にも、車いすのシート、オートバイのシート及びタンク、
ゴルフカートのシート部、山岳救助などに使用する防寒具、救急の際の処置用ベッド等の保温、太陽光パネル、パラボラアンテナ等の融雪、レストランのバイキングコーナーでの料理の保温、座布団の保温、人体に直接貼付しての保温、成形機における金型の加温など、多種多様の利用が見込まれる。
【符号の説明】
【００１６】
１・・・・・・・・・シート状ヒータ
１０・・・・・・・・面状発熱体
１１・・・・・・・・発熱体本体
１１ａ、１１ｂ・・・両端部
１３・・・・・・・・絶縁フィルム
１５・・・・・・・・電源コード
１５ａ、１５ｂ・・・末端部
２０・・・・・・・・シート状ヒータ本体
２５・・・・・・・・被覆部材
２７・・・・・・・・硬質シート
３０・・・・・・・・接着部材
５０・・・・・・・・ダクト
６０・・・・・・・・雪止めアングル
７０・・・・・・・・屋根
７０ａ・・・・・・・軒先部
８０・・・・・・・・雪
【図１】
0003190723.tif 000003
【図２】
0003190723.tif 000004
【図３】
0003190723.tif 000005